(57)【要約】【課題】充電等の制御に関する情報の設定作業を軽減することのできる蓄電池管理装置を提供する。【解決手段】蓄電池管理装置３０は、蓄電池モジュール１１から特性情報を取得する特性情報取得部３１と、蓄電池モジュール１１の充電および放電の少なくとも一方に対する制御を行う電源制御装置４０に、特性情報に基づいた制御条件を通知する通知部３４とを備えることを特徴とする。これにより、蓄電池管理装置３０は、作業者が情報の設定作業を忘れた場合であっても適切な条件で充電等の制御を行うことができる。【選択図】図１
2016185044.tif 000002
【特許請求の範囲】
【請求項１】
蓄電池モジュールから特性情報を取得する特性情報取得部と、
前記蓄電池モジュールの充電および放電の少なくとも一方に対する制御を行う電源制御装置に、前記特性情報に基づいた制御条件を通知する通知部とを
備えることを特徴とする蓄電池管理装置。
【請求項２】
前記蓄電池モジュールは複数存在し、
前記特性情報取得部は、前記複数の蓄電池モジュールのそれぞれから前記特性情報を取得し、
さらに、前記特性情報取得部が取得した各特性情報を用いて、前記複数の蓄電池モジュールに対して適合する制御条件を選択する処理部を備える
ことを特徴とする請求項１に記載の蓄電池管理装置。
【請求項３】
前記特性情報は、満充電の判定に関する複数の満充電条件を含み、
さらに、前記複数の満充電条件から１つの満充電条件を選択するための判別情報を取得する判別情報取得部を備え、
前記処理部は、前記複数の蓄電池モジュールのそれぞれに対して前記判別情報を用いて前記複数の満充電条件のうち１つの満充電条件を選択し、選択した各満充電条件のうち前記複数の蓄電池モジュールに対して適合する満充電条件を、前記制御条件として選択する
ことを特徴とする請求項２に記載の蓄電池管理装置。
【請求項４】
前記判別情報は、蓄電池モジュールの動作環境に関する動作環境情報であり、
前記複数の満充電条件のそれぞれは、蓄電池モジュールの動作環境に応じた満充電時の電圧値であり、
前記処理部は、前記複数の蓄電池モジュールのそれぞれに対して前記動作環境情報を用いて前記複数の満充電条件のうち１つの満充電条件を選択し、選択した各満充電条件のうち、最も低い電圧値を表す満充電条件を選択する
ことを特徴とする請求項３に記載の蓄電池管理装置。
【請求項５】
前記動作環境情報は、蓄電池モジュールの電池温度であり、
前記判別情報取得部は、前記複数の蓄電池モジュールごとに電池温度を取得し、
前記処理部は、前記複数の蓄電池モジュールのそれぞれについて、当該蓄電池モジュールの電池温度に応じた満充電条件を選択する
ことを特徴とする請求項４に記載の蓄電池管理装置。
【請求項６】
前記特性情報は、蓄電池モジュールの満充電の判定に関する満充電条件を表し、
前記処理部は、各満充電条件のうち、前記複数の蓄電池モジュールに対して適合する１つの満充電条件を前記制御条件として選択する
ことを特徴とする請求項２に記載の蓄電池管理装置。
【請求項７】
前記満充電条件は、満充電時の電圧値を表す条件であり、
前記処理部は、前記特性情報取得部で取得された各満充電条件のうち、最も低い電圧値を表す満充電条件を選択する
ことを特徴とする請求項６に記載の蓄電池管理装置。
【請求項８】
前記特性情報は、充電の際に蓄電池モジュールで入力可能な最大充電電流値を表し、
前記処理部は、前記特性情報取得部で取得した各最大充電電流値のうち、最小の充電電流値を充電制限値として選択する
ことを特徴とする請求項２に記載の蓄電池管理装置。
【請求項９】
前記特性情報は、放電の際に蓄電池モジュールで出力可能な最大放電電流値を表し、
前記処理部は、前記特性情報取得部で取得した各放電電流値のうち、最小の放電電流値を放電制限値として選択する
ことを特徴とする請求項２に記載の蓄電池管理装置。
【請求項１０】
さらに、前記電源制御装置が前記複数の蓄電池モジュールの充電の際に前記複数の蓄電池モジュールのそれぞれに入力可能な最大充電電流値を、前記電源制御装置から取得する電流値取得部を備え、
前記処理部は、選択した前記充電制限値と前記最大充電電流値とのうち小さい電流値を前記制御条件として選択する
ことを特徴とする請求項８に記載の蓄電池管理装置。
【請求項１１】
さらに、前記電源制御装置が前記複数の蓄電池モジュールの放電の際に前記複数の蓄電池モジュールのそれぞれから入力可能な最大放電電流値を、前記電源制御装置から取得する電流値取得部を備え、
前記処理部は、選択した前記放電制限値と前記最大放電電流値とのうち小さい電流値を前記制御条件として選択する
ことを特徴とする請求項９に記載の蓄電池管理装置。
【請求項１２】
請求項１〜１１のいずれかに記載の蓄電池管理装置と、前記電源制御装置とを備え、
前記電源制御装置は、前記制御条件を前記蓄電池管理装置から受け取ると、前記制御条件に基づいて前記蓄電池モジュールに対する制御を行う
ことを特徴とする制御装置。
【請求項１３】
蓄電池と、
充電および放電の少なくとも一方に対する特性情報を記憶している記憶部と、
前記特性情報を管理する蓄電池管理装置へ前記特性情報を受け渡す出力部とを
備える蓄電池モジュール。
【請求項１４】
前記記憶部は、特性情報を複数記憶しており、
前記複数の特性情報のそれぞれは、満充電の判定に関する値であって動作環境に応じた電圧値であり、
前記動作環境に応じて、各電圧値から１つの電圧値を決定する決定部を、さらに備え、
前記出力部は、前記決定部で決定された前記電圧値を受け渡す
ことを特徴とする請求項１３に記載の蓄電池モジュール。
【請求項１５】
前記動作環境は、蓄電池モジュールの電池温度であり、
前記決定部は、各電圧値のうち前記電池温度に応じた１つの電圧値を決定する
ことを特徴とする請求項１４に記載の蓄電池モジュール。
【請求項１６】
蓄電池モジュールから特性情報を取得する特性情報取得処理と、
前記蓄電池モジュールの充電および放電の少なくとも一方に対する制御を行う電源制御装置に、前記特性情報に基づいた制御条件を通知する通知処理とを
含むことを特徴とする蓄電池管理方法。
【発明の詳細な説明】
【技術分野】
【０００１】
本発明は、一般に蓄電池管理装置、制御装置、蓄電池モジュール、および蓄電池管理方法であって、より詳細には蓄電池モジュールの充電または放電を管理する蓄電池管理装置、制御装置、蓄電池モジュールおよび蓄電池管理方法に関する。
【背景技術】
【０００２】
従来、リチウムイオン二次電池（以下、蓄電池という）の充電を行う際に、電池の温度に応じて充電電圧を制御する充電回路が存在する（特許文献１参照）。
【０００３】
特許文献１に記載された充電回路は、電源回路と制御回路とを備えている。制御回路は、蓄電池の温度に応じた電圧（閾値電圧）を記憶している記憶部を備え、温度検出回路で検出された温度に応じた閾値電圧を記憶部から取得している。そして、電源回路は、制御回路が取得した閾値電圧に基づいて、蓄電池の充電を制御している。
【先行技術文献】
【特許文献】
【０００４】
【特許文献１】特開２００９−２２０７８号公報
【発明の概要】
【発明が解決しようとする課題】
【０００５】
蓄電池モジュールは、充放電を繰り返すことで、その性能が低下するため、ある時点で、新しい蓄電池モジュールに交換する必要がある。交換前の蓄電池モジュールと交換後の蓄電池モジュールとにおいて、交換前の蓄電池モジュールに対する閾値電圧と、交換後の蓄電池モジュールに対する閾値電圧とが異なる場合がある。
【０００６】
上述したように、特許文献１の充電回路では、制御回路が閾値電圧を予め記憶している。そのため、交換後の蓄電池モジュールに対して適正な充電を行うために、制御回路に記憶されている閾値電圧を、交換後の蓄電池モジュールに対する閾値電圧へと設定を変更する必要がなる。このとき、作業者が閾値電圧の再設定を忘れる可能性がある。
【０００７】
そこで、本発明は、上記事由に鑑みてなされており、その目的は、作業者が情報の設定作業を忘れた場合であっても適切な条件で充電等の制御を行うことのできる蓄電池管理装置、制御装置、蓄電池モジュールおよび蓄電池管理方法を提供することにある。
【課題を解決するための手段】
【０００８】
本発明の一態様である蓄電池管理装置は、蓄電池モジュールから特性情報を取得する特性情報取得部と、前記蓄電池モジュールの充電および放電の少なくとも一方に対する制御を行う電源制御装置に、前記特性情報に基づいた制御条件を通知する通知部とを備える。
【０００９】
また、本発明の一態様である制御装置は、上述した蓄電池管理装置と、前記電源制御装置とを備え、前記電源制御装置は、前記制御条件を前記蓄電池管理装置から受け取ると、前記制御条件に基づいて前記蓄電池モジュールに対する制御を行う。
【００１０】
また、本発明の一態様である蓄電池モジュールは、蓄電池と、充電および放電の少なくとも一方に対する特性情報を記憶している記憶部と、前記特性情報を管理する蓄電池管理装置へ前記特性情報を受け渡す出力部とを備える。
【００１１】
また、本発明の一態様である蓄電池管理方法は、蓄電池モジュールから特性情報を取得する特性情報取得処理と、前記蓄電池モジュールの充電および放電の少なくとも一方に対する制御を行う電源制御装置に、前記特性情報に基づいた制御条件を通知する通知処理とを含む。
【発明の効果】
【００１２】
上述した蓄電池管理装置、制御装置、蓄電池モジュールおよび蓄電池管理方法によると、作業者が情報の設定作業を忘れた場合であっても適切な条件で充電等の制御を行うことができる。
【図面の簡単な説明】
【００１３】
【図１】実施形態１における蓄電システムの構成を説明する図である。
【図２】実施形態１における蓄電池管理装置の動作を説明する流れ図である。
【図３】実施形態１の変形例１における蓄電システムの構成を説明する図である。
【図４】実施形態１の変形例１における蓄電池管理装置が制御条件として最小充電電流値を決定する動作を説明する流れ図である。
【図５】実施形態１の変形例１における蓄電池管理装置が制御条件として最小放電電流値を決定する動作を説明する流れ図である。
【図６】実施形態２における蓄電システムの構成を説明する図である。
【図７】実施形態２における蓄電池モジュールの構成を説明する図である。
【図８】実施形態２における蓄電池モジュールの動作を説明する流れ図である。
【図９】実施形態２における蓄電池管理装置の動作を説明する流れ図である。
【図１０】実施形態２の変形例における蓄電システムの構成を説明する図である。
【図１１】実施形態２の変形例における蓄電池モジュールが特性情報として充電電流値を決定する動作を説明する流れ図である。
【図１２】実施形態２の変形例における蓄電池モジュールが特性情報として放電電流値を決定する動作を説明する流れ図である。
【発明を実施するための形態】
【００１４】
１  実施形態１
以下、本実施形態における蓄電システム１について説明する。
【００１５】
本実施形態における蓄電システム１は、図１に示すように、複数の蓄電池モジュール１１からなる蓄電池システム１０と、制御装置２０とを備える。蓄電システム１は、複数の蓄電池モジュールのそれぞれが記憶する特性情報を用いて、制御装置２０が複数の蓄電池モジュール１１のそれぞれの充電および放電の少なくとも一方を制御するシステムである。
【００１６】
蓄電池モジュール１１は、当該蓄電池モジュール１１の特性を表す特性情報を、制御装置２０に受け渡す。本実施形態では、特性情報は、充電および放電の少なくとも一方に関する情報である。
【００１７】
制御装置２０は、各蓄電池モジュール１１の充電および放電の少なくとも一方の制御を行う。制御装置２０は、複数の蓄電池モジュール１１のそれぞれから特性情報を取得すると、取得した特性情報に基づいた制御条件を選択する。制御装置２０は、選択した制御条件に基づいて、蓄電池モジュール１１の充電および放電の少なくとも一方を制御する。以下、制御条件が充電に関する条件である場合について説明する。
【００１８】
（蓄電池モジュール１１）
複数の蓄電池モジュール１１のそれぞれは、図１に示すように、蓄電池１２と温度センサ１３と記憶部１４と出力部１５とを備える。本実施形態では、複数の蓄電池モジュール１１は、仕様上、同一種類、同一性能である。
【００１９】
蓄電池１２は、例えばリチウムイオン電池である。
【００２０】
複数の温度センサ１３は、蓄電池１２の電池温度（環境情報）を計測し、その結果を制御装置２０へ受け渡す。
【００２１】
記憶部１４は、電池温度が第１温度範囲に属する場合における満充電の電圧値と、電池温度が第２温度範囲に属する場合における満充電の電圧値とを記憶している。ここで、第１温度範囲とは、電池温度が所定の閾値より高くなる範囲であり、蓄電池モジュール１１の性能が仕様上制限されることなく通常通りに発揮される範囲である。以下、第１温度範囲に属する場合の満充電の電圧値を通常電圧値という。また、第２温度範囲とは、温度が所定の閾値以下となる範囲であり、蓄電池モジュール１１の性能が仕様上制限された状態で発揮される範囲である。以下、第２温度範囲に属する場合の満充電の電圧値を制限電圧値という。記憶部１４は、具体的には、通常電圧値に第１温度範囲を、制限電圧値に第２温度範囲を、それぞれ対応付けて記憶している。また、本実施形態では、制限電圧値は、通常電圧値よりも小さい値である。これにより、電池温度が所定の閾値以下である場合には、通常時（電池温度が所定の閾値より高い場合）での充電と比べて充電された電力量が小さくなり、長寿命化を図ることができる。また、上述したように、複数の蓄電池モジュール１１は、仕様上、同一種類、同一性能である。そのため、複数の蓄電池モジュール１１のそれぞれの記憶部１４で記憶される通常電圧値は、各蓄電池モジュール１１について同一であり、制限電圧値も各蓄電池モジュール１１について同一である。
【００２２】
出力部１５は、特性情報を、制御装置２０へ引き渡す。本実施形態では、特性情報は、通常電圧値と第１温度範囲との組からなる第１満充電条件および制限電圧値と第２温度範囲との組からなる第２満充電条件を含む情報である。
【００２３】
なお、複数の蓄電池モジュール１１は、各蓄電池１２を直列接続することで、電気的に接続されている。
【００２４】
（制御装置２０）
制御装置２０は、パワーコンディショナであり、図１に示すように、蓄電池管理装置３０と電源制御装置４０とを備える。
【００２５】
蓄電池管理装置３０は、特性情報を管理する装置である。本実施形態では、特性情報は、蓄電池モジュール１１の充電および放電の少なくとも一方に関する情報である。蓄電池管理装置３０は、複数の蓄電池モジュール１１から特性情報を取得し、各特性情報を用いて、複数の蓄電池モジュール１１に対して適合する制御条件を選択する。蓄電池管理装置３０は、図１に示すように、特性情報取得部３１、判別情報取得部３２、処理部３３および通知部３４を備える。蓄電池管理装置３０は、プロセッサやコンピュータで読み取りが可能なメモリを有しており、蓄電池管理装置３０の各機能は、メモリに記憶されているプログラムをプロセッサが実行することにより実現される。このプログラムは、インターネットのような電気通信回線を通して提供されるか、あるいは、コンピュータで読み取りが可能な記録媒体により提供される。
【００２６】
特性情報取得部３１は、充電開始時に、各蓄電池モジュール１１から第１満充電条件および第２満充電条件のそれぞれを含む特性情報を取得する。
【００２７】
判別情報取得部３２は、充電開始時に、各蓄電池モジュール１１の制御条件（本実施形態では、充電を制御するための条件）を選択するための判別情報を取得する。具体的には、判別情報取得部３２は、各温度センサ１３から各蓄電池モジュール１１（蓄電池１２）の電池温度を判別情報として取得する。
【００２８】
処理部３３は、特性情報取得部３１で取得した各特性情報を用いて、複数の蓄電池モジュール１１に対して適合する制御条件を選択する。具体的には、処理部３３は、判別情報取得部３２で取得した各判別情報を用いて、複数の蓄電池モジュール１１のそれぞれに対して、第１満充電条件および第２満充電条件のうち何れかの満充電条件を選択する。処理部３３は、選択した各満充電条件のうち、最も低い電圧値を含む満充電条件を制御条件として選択する。
【００２９】
通知部３４は、処理部３３で選択された制御条件に含まれる電圧値に基づいて各蓄電池モジュール１１（蓄電池１２）に対する制御を電源制御装置に行わせるために、当該制御条件を電源制御装置４０へ通知する。
【００３０】
電源制御装置４０は、太陽電池５０の発電電力を用いて、各蓄電池モジュール１１（蓄電池１２）を充電する装置である。電源制御装置４０は、蓄電池管理装置３０から通知された制御条件に基づいて、各蓄電池モジュール１１（蓄電池１２）に対して充電および放電の少なくとも一方の制御を行う。例えば、電源制御装置４０は、制御条件（満充電条件）を蓄電池管理装置３０から受け取る。電源制御装置４０は、各蓄電池モジュール１１の満充電時の電圧値が、受け取った満充電条件で表される電圧値となるように、太陽電池５０の発電電力を用いて各蓄電池モジュール１１の充電を行う。具体的には、電源制御装置４０は、各蓄電池モジュール１１の充電時に、各蓄電池モジュール１１の電圧値を計測し、計測した電圧値が満充電条件で表される電圧値と一致する場合には充電を中止する。
【００３１】
また、電源制御装置４０は、各蓄電池モジュール１１および太陽電池５０のうち少なくとも一方の電力を交流に変換し、施設内に設けられた負荷５１に電力を供給する。電源制御装置４０は、各蓄電池モジュール１１の電力を用いて負荷５１に電力を供給する場合には、各蓄電池モジュール１１の放電制御を行う。
【００３２】
なお、電源制御装置４０は、プロセッサやメモリを有しており、電源制御装置４０の各機能は、メモリに記憶されているプログラムをプロセッサが実行することにより実現される。このプログラムは、インターネットのような電気通信回線を通して提供されるか、あるいは、コンピュータで読み取りが可能な記録媒体により提供される。
【００３３】
次に、蓄電池管理装置３０が制御条件を決定する動作について、図２に示す流れ図を用いて説明する。
【００３４】
蓄電池管理装置３０の特性情報取得部３１は、複数の蓄電池モジュール１１から特性情報を取得する（ステップＳ５）。具体的には、特性情報取得部３１は、各蓄電池モジュール１１から、第１満充電条件および第２満充電条件のそれぞれを含む特性情報を取得する。蓄電池管理装置３０の判別情報取得部３２は、複数の蓄電池モジュール１１（蓄電池１２）の電池温度（判別条件）を、複数の温度センサ１３から取得する（ステップＳ１０）。
【００３５】
蓄電池管理装置３０の処理部３３は、特性情報取得部３１で取得された各特性情報を用いて、複数の蓄電池モジュール１１に対して適合する制御条件を選択する選択処理を行う（ステップＳ１５）。例えば、処理部３３は、複数の蓄電池モジュール１１のそれぞれについて、当該蓄電池モジュール１１から取得した特性情報に含まれる第１満充電条件および第２満充電条件のうち、当該蓄電池モジュールから取得した電池温度に応じた満充電条件を選択する。具体的には、処理部３３は、電池温度が所定の閾値より高い場合には第１満充電条件を選択し、電池温度が所定の閾値以下である場合には第２満充電条件を選択する。処理部３３は、各満充電条件が第１満充電条件である場合には、当該第１満充電条件を制御条件として選択する。複数の蓄電池モジュール１１のうち少なくとも１つの蓄電池モジュール１１について第２満充電条件が選択されると、処理部３３は、第２満充電条件を制御条件として選択する。
【００３６】
蓄電池管理装置３０の通知部３４は、処理部３３で選択された制御条件（満充電条件）を電源制御装置４０へ通知する（ステップＳ２０）。電源制御装置４０は、通知部３４で通知された制御条件（満充電条件）に含まれる電圧値に基づいて、各蓄電池モジュール１１の満充電時の電圧を制御する。
【００３７】
本実施形態では、蓄電池システム１０は、複数の蓄電池モジュール１１で構成されるとしたが、これに限定されない。蓄電池システム１０は、少なくとも１つの蓄電池モジュール１１で構成されていればよい。例えば、蓄電池システム１０が１つの蓄電池モジュール１１で構成されている場合、蓄電池管理装置３０は、この１つの蓄電池モジュール１１から特性情報を取得し、取得した特性情報を用いて、この蓄電池モジュール１１に適合する制御条件を選択する。特性情報が第１満充電条件および第２満充電条件を含んでいる場合、蓄電池管理装置３０は、電池温度が所定の閾値より高いときには、この１つの蓄電池モジュール１１から取得した第１満充電条件に含まれる電圧値を制御条件とする。電池温度が所定の閾値以下であるときには、蓄電池管理装置３０は、この１つの蓄電池モジュール１１から取得した第２満充電条件に含まれる電圧値を制御条件とする。
【００３８】
また、本実施形態の蓄電池管理装置３０は、充電開始時に、特性情報および判別情報を取得するとしたが、これに限定されない。蓄電池管理装置３０は、所定の周期（例えば３時間ごと）に、特性情報および判別情報を取得してもよい。なお、この数値は一例であって、これらの数値に限定する趣旨ではない。
【００３９】
本実施形態の蓄電池モジュール１１の記憶部１４は、２種類の電圧値（通常電圧値、制限電圧値）を記憶しているとしたが、これに限定されない。蓄電池モジュール１１の記憶部１４は、複数種類の電圧値を記憶してもよい。複数種類の電圧値には、互いに異なる複数の温度範囲が１対１に対応付けられている。出力部１５は、電圧値と当該電圧値に対応付けられた温度範囲となる複数の組を含む特性情報を蓄電池管理装置３０へ受け渡す。蓄電池管理装置３０は、特性情報に含まれる各電圧値のうち判別情報取得部３２が取得した電池温度に応じた電圧値を選択する。
【００４０】
また、複数の蓄電池モジュール１１は、仕様上、同一種類、同一性能であるとしたが、これに限定されない。複数の蓄電池モジュール１１において、異なる種類、性能が混在してもよい。この場合、複数の種類ごとに、通常電圧値および制限電圧値は異なる。蓄電池管理装置３０の処理部３３は、複数の蓄電池モジュール１１のそれぞれから第１満充電条件を選択した場合には、選択した第１満充電条件のうち最も低い電圧値を含む第１満充電条件を制御条件として選択する。処理部３３は、複数の蓄電池モジュール１１のうち少なくとも１つの蓄電池モジュール１１について第２満充電条件を選択すると、選択した第２満充電条件のうち最も低い電圧値を含む第２満充電条件を制御条件として選択する。
【００４１】
また、各蓄電池１２は、直列接続されるとしたが、並列接続であってもよいし、直列接続および並列接続が混在した接続であってもよい。
【００４２】
なお、本実施形態では、満充電の条件として電圧値を用いたが、これに限定されない。満充電の条件として蓄電池モジュール１１の充電率（ＳＯＣ：Ｓｔａｔｅ  ｏｆ  Ｃｈａｒｇｅ）を用いてもよい。例えば、蓄電池モジュール１１の記憶部１４は、第１温度範囲と充電率「１００％」とからなる組と、第２温度範囲と充電率「８０％」とからなる組とを記憶している。出力部１５は、これら組を含む特性情報を蓄電池管理装置３０に受け渡す。蓄電池管理装置３０は、複数の蓄電池モジュール１１のそれぞれの電池温度が第１温度範囲に属する場合、充電率として１００％を選択する。少なくとも１つの蓄電池モジュール１１の電池温度が第２温度範囲に属している場合、蓄電池管理装置３０の処理部３３は、充電率として８０％を選択する。このとき、複数の蓄電池モジュール１１のそれぞれは、蓄電池１２の充電率を計測する計測回路を備えている。電源制御装置４０は、複数の蓄電池モジュール１１のそれぞれの計測回路で計測された結果を基に、蓄電池管理装置３０で選択された充電率となるように各蓄電池モジュール１１の充電の制御を行う。
【００４３】
以上説明したように、本発明の一態様である蓄電池管理装置３０は、特性情報取得部３１と通知部３４とを備える。特性情報取得部３１は、蓄電池モジュール１１から特性情報を取得する。通知部３４は、蓄電池モジュール１１の充電および放電の少なくとも一方に対する制御を行う電源制御装置４０に、特性情報に基づいた制御条件を通知する。
【００４４】
この構成によると、蓄電池管理装置３０は、蓄電池モジュール１１から特性情報を取得し、特性情報に基づいた制御条件を電源制御装置４０へ通知している。そのため、蓄電池管理装置３０は、作業者が情報の設定作業を忘れた場合であっても適切な条件（制御条件）で充電等の制御を行うことができる。
【００４５】
ここで、蓄電池モジュール１１は複数存在する。特性情報取得部３１は、複数の蓄電池モジュール１１のそれぞれから特性情報を取得する。蓄電池管理装置３０は、さらに、特性情報取得部３１が取得した各特性情報を用いて、複数の蓄電池モジュール１１に対して適合する制御条件を選択する処理部３３を備えることが好ましい。
【００４６】
この構成によると、蓄電池管理装置３０は、作業者が情報の設定作業を忘れた場合であっても複数の蓄電池モジュール１１に対して適切な条件（制御条件）で充電等の制御を行うことができる。
【００４７】
ここで、特性情報は、満充電の判定に関する複数の満充電条件を含んでいる。蓄電池管理装置３０は、さらに、複数の満充電条件から１つの満充電条件を選択するための判別情報を取得する判別情報取得部３２を備えている。処理部３３は、複数の蓄電池モジュール１１のそれぞれに対して判別情報を用いて複数の満充電条件のうち１つの満充電条件を選択する。処理部３３は、選択した各満充電条件のうち複数の蓄電池モジュール１１に対して適合する満充電条件を、制御条件として選択することが好ましい。
【００４８】
この構成によると、蓄電池管理装置３０は、複数の蓄電池モジュール１１に対して適合する満充電の判定に関する満充電条件を設定することができる。蓄電池管理装置３０は、判別条件を用いて選択した各満充電条件のうち、最も厳しい条件を制御条件として選択することで、複数の蓄電池モジュール１１のすべてに対して充電の制御を行うことができる。
【００４９】
ここで、判別情報は、蓄電池モジュール１１の動作環境に関する動作環境情報である。複数の満充電条件のそれぞれは、蓄電池モジュール１１の動作環境に応じた満充電時の電圧値である。処理部３３は、複数の蓄電池モジュール１１のそれぞれに対して動作環境情報を用いて複数の満充電条件のうち１つの満充電条件を選択し、選択した各満充電条件のうち、最も低い電圧値を表す満充電条件を選択することが好ましい。
【００５０】
この構成によると、蓄電池管理装置３０は、複数の蓄電池モジュール１１に対して適合する満充電時の電圧値を設定することができる。
【００５１】
ここで、動作環境情報は、蓄電池モジュール１１の電池温度である。判別情報取得部３２は、複数の蓄電池モジュール１１ごとに電池温度を取得する。処理部３３は、複数の蓄電池モジュール１１のそれぞれについて、当該蓄電池モジュール１１の電池温度に応じた満充電条件を選択することが好ましい。
【００５２】
この構成によると、蓄電池管理装置３０は、蓄電池モジュール１１ごとに、電池温度に応じた満充電条件を選択している。そのため、蓄電池管理装置３０は、各蓄電池モジュール１１の電池温度を取得したときでの各蓄電池モジュール対して最適な電圧値を選択することができる。
【００５３】
また、本発明の一態様である制御装置２０は、上述した蓄電池管理装置３０と、電源制御装置４０とを備える。電源制御装置４０は、制御条件を蓄電池管理装置３０から受け取ると、制御条件に基づいて蓄電池モジュール１１に対する制御を行う。
【００５４】
この構成によると、制御装置２０は、充電等の制御に関する情報の設定作業を軽減することができる。
【００５５】
また、本発明の一態様である蓄電池管理方法は、特性情報取得処理と、通知処理とを含む。特性情報取得処理は、蓄電池モジュール１１から特性情報を取得する。通知処理は、蓄電池モジュール１１の充電および放電の少なくとも一方に対する制御を行う電源制御装置４０に、特性情報に基づいた制御条件を通知する。
【００５６】
この蓄電池管理方法によると、充電等の制御に関する情報の設定作業を軽減することができる。
【００５７】
２  実施形態１の変形例１
ここでは、満充電条件を制御条件とするのではなく、充電電流値および放電電流値のすくなくとも一方を制御条件として用いる。ここで、充電電流値とは、各蓄電池モジュール１１を充電する際に、電源制御装置４０が各蓄電池モジュール１１に入力する電流の値である。また、放電電流値とは、各蓄電池モジュール１１を放電する際に、電源制御装置４０が各蓄電池モジュール１１から入力される電流の値である。
【００５８】
以下、実施形態１とは異なる点を中心に説明する。なお、本変形例では、実施形態１と同様の構成要素には同一の符号を付して説明を適宜省略する。
【００５９】
本変形例の蓄電システム１は、図３に示すように、蓄電池システム１０と制御装置２０とを備える。
【００６０】
蓄電池システム１０は、図３に示すように、複数の蓄電池モジュール１１を備え、各蓄電池モジュール１１は、蓄電池１２と記憶部１４と出力部１５とを備える。記憶部１４は、充電時に入力される最大の電流の値（最大充電電流値、以下「第１最大充電電流値」）と、放電時に出力される最大電流の値（最大放電電流値、以下「第１最大放電電流値」）とを記憶している。出力部１５は、記憶部１４で記憶されている第１最大充電電流値および第１最大放電電流値を、それぞれ特性情報として蓄電池管理装置３０へ受け渡す。なお、複数の蓄電池モジュール１１は、各蓄電池１２を直列接続することで、電気的に接続されている。
【００６１】
制御装置２０は、図３に示すように、蓄電池管理装置３０と電源制御装置４０とを備える。蓄電池管理装置３０は、図３に示すように、特性情報取得部３１、処理部３３、通知部３４および電流値取得部３５を備える。
【００６２】
特性情報取得部３１は、制御装置２０の起動時に各蓄電池モジュール１１から、充電電流値および放電電流値をそれぞれ特性情報として取得する。
【００６３】
電流値取得部３５は、電源制御装置４０が各蓄電池モジュール１１の充電を制御する際に、各蓄電池モジュール１１に対して出力可能な最大電流の値（最大充電電流値、以下「第２最大充電電流値」）を、制御装置２０の起動時に電源制御装置４０から取得する。また、電流値取得部３５は、電源制御装置４０が各蓄電池モジュール１１の放電を制御する際に、各蓄電池モジュール１１から入力可能な最大電流の値（最大放電電流値、以下「第２最大放電電流値」）を、電源制御装置４０から取得する。
【００６４】
処理部３３は、特性情報取得部３１で取得された第１最大充電電流値および第１最大放電電流値の少なくとも一方を用いて、複数の蓄電池モジュールに対して適合する制御条件を選択する。例えば、処理部３３は、特性情報取得部３１が第１最大充電電流値を各蓄電池モジュール１１から取得すると、取得した各第１最大充電電流値のうち最小の電流値（充電制限値）を選択する。処理部３３は、選択した充電制限値と、電流値取得部３５が取得した最大充電電流値とのうち小さい電流値（充電制御用電流値）を制御条件として選択する。また、処理部３３は、特性情報取得部３１が第１最大放電電流値を各蓄電池モジュール１１から取得すると、取得した各第１最大放電電流値のうち最小の電流値（放電制限値）を選択する。処理部３３は、選択した放電制限値と、電流値取得部３５が取得した最大放電電流値とのうち小さい電流値（放電制御用電流値）を制御条件として選択する。
【００６５】
通知部３４は、処理部３３で選択された制御条件（充電制御用電流値または放電制御用電流値）を電源制御装置４０へ通知する。
【００６６】
電源制御装置４０は、制御条件が充電制御用電流値である場合には、充電制御用電流値に基づいて各蓄電池モジュール１１（蓄電池１２）の充電に対する制御を行う。電源制御装置４０は、制御条件が放電制御用電流値である場合には、放電制御用電流値に基づいて各蓄電池モジュール１１（蓄電池１２）の放電に対する制御を行う。
【００６７】
次に、本変形例の蓄電池管理装置３０が制御条件を決定する動作について、図４、図５に示す流れ図を用いて説明する。
【００６８】
本変形例の蓄電池管理装置３０が制御条件として充電制御用電流値を決定する動作を、図４に示す流れ図を用いて説明する。
【００６９】
特性情報取得部３１は、複数の蓄電池モジュール１１から第１最大充電電流値を特性情報として取得する（ステップＳ５０）。電流値取得部３５は、第２最大充電電流値を、電源制御装置４０から取得する（ステップＳ５５）。
【００７０】
処理部３３は、特性情報取得部３１で取得された各特性情報を用いて、複数の蓄電池モジュール１１に対して適合する制御条件を選択する選択処理を行う（ステップＳ６０）。具体的には、処理部３３は、各第１最大充電電流値のうち最小の電流値（充電制限値）と、第２最大充電電流値とのうち小さい電流値（充電制御用電流値）を制御条件として選択する。
【００７１】
通知部３４は、処理部３３で選択された制御条件（充電制御用電流値）を、電源制御装置４０へ通知する（ステップＳ６５）。電源制御装置４０は、通知部３４で通知された制御条件（充電制御用電流値）に基づいて、各蓄電池モジュール１１に充電時に入力される電流を制御する。
【００７２】
次に、本変形例の蓄電池管理装置３０が制御条件として放電制御用電流値を決定する動作を、図５に示す流れ図を用いて説明する。
【００７３】
特性情報取得部３１は、複数の蓄電池モジュール１１から第１最大放電電流値を特性情報として取得する（ステップＳ１００）。電流値取得部３５は、第２最大放電電流値を、電源制御装置４０から取得する（ステップＳ１０５）。
【００７４】
処理部３３は、特性情報取得部３１で取得された各特性情報を用いて、複数の蓄電池モジュール１１に対して適合する制御条件を選択する選択処理を行う（ステップＳ１１０）。具体的には、処理部３３は、各第１最大放電電流値のうち最小の電流値（放電制限値）と、第２最大放電電流値とのうち小さい電流値（放電制御用電流値）を制御条件として選択する。
【００７５】
通知部３４は、処理部３３で選択された制御条件（放電制御用電流値）を、電源制御装置４０へ通知する（ステップＳ１１５）。電源制御装置４０は、通知部３４で通知された制御条件（放電制御用電流値）に基づいて、各蓄電池モジュール１１が放電時に出力する電流を制御する。
【００７６】
なお、本変形例の蓄電池管理装置３０は、上述した判別情報取得部３２を備えていない構成となっているが、これに限定されない。本変形例の蓄電池管理装置３０は、判別情報取得部３２を備え、蓄電池モジュール１１が温度センサ１３を備えていてもよい。この場合、制御装置２０は、満充電条件に基づいた充電の制御、充放電に関する電流値に基づいた充放電の制御の双方を行うこととなる。満充電条件に基づいた充電の制御については、既に説明しているので、ここでの説明は省略する。
【００７７】
また、本変形例の蓄電池システム１０は、複数の蓄電池モジュール１１で構成されるとしたが、これに限定されない。蓄電池システム１０は、少なくとも１つの蓄電池モジュール１１で構成されていればよい。例えば、蓄電池システム１０が１つの蓄電池モジュール１１で構成されている場合、蓄電池管理装置３０は、この１つの蓄電池モジュール１１から特性情報を取得し、取得した特性情報を用いて、この蓄電池モジュール１１に適合する制御条件を選択する。特性情報が、充電電流値である場合には、蓄電池管理装置３０は、この１つの蓄電池モジュール１１から取得した第１最大充電電流値と、第２最大充電電流値とのうち小さい電流値を制御条件として選択する。さらに、特性情報が、放電電流値である場合には、蓄電池管理装置３０は、この蓄電池モジュール１１から取得した第１最大放電電流値と、最大放電電流値とのうち小さい電流値を制御条件として選択する。
【００７８】
また、本変形例の蓄電池管理装置３０が、各第１最大充電電流値と、第２最大充電電流値とを用いて、充電制御用電流値を選択したが、これに限定されない。蓄電池管理装置３０は、各第１最大充電電流値から充電制御用電流値を選択してもよい。この場合、電源制御装置４０は、充電制御用電流値と、自身が記憶している最大充電電流値とを比較して、値が小さい電流値を選択し、選択した電流値を用いて各蓄電池モジュール１１の充電を制御する。また、蓄電池管理装置３０は、各第１最大放電電流値から放電制御用電流値を選択してもよい。この場合、電源制御装置４０は、放電制御用電流値と、自身が記憶している最大放電電流値とを比較して、値が小さい電流値を選択し、選択した電流値を用いて各蓄電池モジュール１１の放電を制御する。
【００７９】
以上説明したように、本変形例では、特性情報は、充電の際に蓄電池モジュール１１で入力可能な最大充電電流値（第１最大充電電流値）を表す。処理部３３は、特性情報取得部３１で取得した各最大充電電流値のうち、最小の充電電流値を充電制限値として選択することが好ましい。
【００８０】
この構成によると、蓄電池管理装置３０は、複数の蓄電池モジュール１１のすべてに対して適合する充電電流値を選択することができる。
【００８１】
また、特性情報は、放電の際に蓄電池モジュール１１で出力可能な最大放電電流値（第１最大放電電流値）を表す。処理部３３は、特性情報取得部３１で取得した各最大放電電流値のうち、最小の放電電流値を放電制限値として選択することが好ましい。
【００８２】
この構成によると、蓄電池管理装置３０は、複数の蓄電池モジュール１１のすべてに対して適合する放電電流値を選択することができる。
【００８３】
また、蓄電池管理装置３０は、さらに、電源制御装置４０が複数の蓄電池モジュール１１の充電の際に複数の蓄電池モジュール１１のそれぞれに入力可能な最大充電電流値（第２最大充電電流値）を、電源制御装置から取得する電流値取得部３５を備える。処理部３３は、選択した充電制限値と最大充電電流値とのうち小さい電流値を制御条件として選択することが好ましい。
【００８４】
この構成によると、蓄電池管理装置３０は、複数の蓄電池モジュール１１の充電時に最適な電流値を設定することができる。
【００８５】
また、蓄電池管理装置３０は、さらに、電源制御装置４０が複数の蓄電池モジュール１１の放電の際に複数の蓄電池モジュール１１のそれぞれから入力可能な最大放電電流値（第２最大放電電流値）を、電源制御装置４０から取得する電流値取得部３５を備える。処理部３３は、選択した放電制限値と最大放電電流値とのうち小さい電流値を制御条件として選択することが好ましい。
【００８６】
この構成によると、蓄電池管理装置３０は、複数の蓄電池モジュール１１の放電時に最適な電流値を設定することができる。
【００８７】
３  実施形態１の変形例２
実施形態１では、蓄電池管理装置３０は、電池温度に応じて満充電の電圧値を選択するとしているが、これに限定されない。蓄電池管理装置３０は、電池温度に応じて満充電の電圧値を選択する機能の他、設定された制御モードに応じて、満充電の電圧値を選択してもよい。
【００８８】
電源制御装置４０は、各蓄電池モジュール１１の充電を制御するために、複数の制御モードのうち１つの制御モードが設定されている。ここで、複数の制御モードとして、通常モード、長寿命モード、自立モード等がある。通常モードとは、各蓄電池モジュール１１の電池温度に関係なく、蓄電池モジュール１１に充電される電力量を制限することなく、常に１００％の電力量を充電するためのモードである。長寿命モードとは、蓄電池モジュール１１の長寿命化を図るために、充電される電力量を制限するモードである。例えば、長寿命モードでは、充電される電力量の上限が制限される。自立モードとは、通常モードと長寿命モードとの両立を図るためのモードであり、実施形態１で説明したように、電池温度に応じて満充電の電圧値を選択する。
【００８９】
蓄電池管理装置３０は、充電開始時に、制御モードとして設定されているモードを判別する。蓄電池管理装置３０は、制御モードが通常モードである場合には、上述した通常電圧値を制御情報として選択する。蓄電池管理装置３０は、制御モードが長寿命モードである場合には、上述した制限電圧値を制御情報として選択する。制御モードが自立モードである場合には、実施形態１と同様であるので、ここでの説明は省略する。なお、制御モードが長寿命モードである場合、蓄電池管理装置３０は、制限電圧値を制御情報としたが、これに限定されない。蓄電池管理装置３０は、制御情報として、通常電圧値より低い電圧値を選択してもよい。
【００９０】
また、本変形例では、蓄電池モジュール１１は、通常モードで用いられる電圧値を第３満充電条件とし、長寿命モードで用いられる電圧値を第４満充電条件として、特性情報にさらに含めて、蓄電池管理装置３０に受け渡す。
【００９１】
４  実施形態２
実施形態１では、各蓄電池モジュール１１は複数の満充電条件（第１満充電条件、第２満充電条件）を蓄電池管理装置３０へ受け渡したが、本実施形態では、各蓄電池モジュール１１は１つの満充電条件を蓄電池管理装置３０へ受け渡す点が異なる。
【００９２】
以下、本実施形態では、実施形態１と異なる点を中心に説明する。なお、実施形態１と同様の構成要素には同一の符号を付して説明を適宜省略する。
【００９３】
本実施形態の蓄電システム１は、図６に示すように、複数の蓄電池モジュール１１からなる蓄電池システム１０と、制御装置２０とを備える。
【００９４】
本実施形態の蓄電池モジュール１１のそれぞれは、自身の電池温度に応じた情報であって当該蓄電池モジュール１１の特性を表す特性情報を制御装置２０に受け渡す。
【００９５】
本実施形態の制御装置２０は、複数の蓄電池モジュール１１から特性情報を取得すると、取得した特性情報から蓄電池モジュール１１に対して適合する制御条件を選択する。制御装置２０は、選択した制御条件に基づいて、各蓄電池モジュール１１の充電および放電の少なくとも一方を制御する。以下、制御条件が充電に関する条件である場合について説明する。
【００９６】
（蓄電池モジュール１１）
複数の蓄電池モジュール１１のそれぞれは、図７に示すように、蓄電池１２、温度センサ１３、記憶部１４、出力部１５および決定部１６を備えている。蓄電池モジュール１１は、プロセッサやメモリを有しており、蓄電池モジュール１１の決定部１６の機能は、メモリに記憶されているプログラムをプロセッサが実行することにより実現される。このプログラムは、インターネットのような電気通信回線を通して提供されるか、あるいは、コンピュータで読み取りが可能な記録媒体により提供される。
【００９７】
決定部１６は、蓄電池管理装置３０へ送信すべき満充電条件を決定する。具体的には、決定部１６は、温度センサ１３で計測された電池温度が所定の閾値より高いか否かを判断する。決定部１６は、電池温度が所定の閾値より高いと判断する場合には通常電圧値を満充電条件と決定し、電池温度が所定の閾値以下であると判断する場合には制限電圧値を満充電条件と決定する。
【００９８】
出力部１５は、満充電条件を特性情報として受け渡す。具体的には、出力部１５は、蓄電池管理装置３０へ送信すべき満充電条件が決定部１６で決定される度に、決定された満充電条件を、特性情報として制御装置２０へ受け渡す。
【００９９】
なお、複数の蓄電池モジュール１１は、実施形態１と同様に、各蓄電池１２を直列接続することで、電気的に接続されている。
【０１００】
（制御装置２０）
制御装置２０は、外部からの電力、例えば太陽電池５０の発電電力を用いて、各蓄電池モジュール１１を充電するパワーコンディショナであり、図６に示すように、蓄電池管理装置３０と電源制御装置４０とを備える。
【０１０１】
蓄電池管理装置３０は、図６に示すように、特性情報取得部３１、処理部３３および通知部３４を備える。蓄電池管理装置３０は、プロセッサやメモリを有しており、蓄電池管理装置３０の各機能は、メモリに記憶されているプログラムをプロセッサが実行することにより実現される。このプログラムは、インターネットのような電気通信回線を通して提供されるか、あるいは、コンピュータで読み取りが可能な記録媒体により提供される。
【０１０２】
特性情報取得部３１は、充電開始時に、各蓄電池モジュール１１から満充電条件である特性情報を取得する。
【０１０３】
処理部３３は、特性情報取得部３１で取得された各特性情報を用いて、複数の蓄電池モジュールに対して適合する制御条件を選択する。具体的には、処理部３３は、蓄電池モジュール１１ごとに出力された特性情報（満充電条件）のそれぞれで表される電圧値のうち最も低い電圧値を制御条件として選択する。
【０１０４】
通知部３４は、処理部３３で選択された制御条件に基づいて各蓄電池モジュール１１に対する制御を行うために、制御条件を電源制御装置４０へ通知する。
【０１０５】
本実施形態の電源制御装置４０の機能については、実施形態１と同様であるので、ここでの説明は省略する。
【０１０６】
次に、蓄電池モジュール１１が蓄電池管理装置３０へ出力すべき特性情報を決定する動作と、蓄電池管理装置３０が制御条件を決定する動作とについて、図８及び図９に示す流れ図を用いて説明する。
【０１０７】
図８は、蓄電池モジュール１１が蓄電池管理装置３０へ出力すべき特性情報を決定する動作を説明する流れ図である。
【０１０８】
蓄電池モジュール１１の決定部１６は、蓄電池管理装置３０へ送信すべき満充電条件を決定する（ステップＳ１５０）。具体的には、決定部１６は、温度センサ１３で計測された電池温度が所定の閾値より高い場合には、通常電圧値を満充電条件と決定し、電池温度が所定の閾値以下である場合には制限電圧値を満充電条件と決定する。出力部１５は、決定部１６で決定された満充電条件を、特性情報として制御装置２０へ受け渡す（ステップＳ１５５）。
【０１０９】
図９は、蓄電池管理装置３０が制御条件を決定する動作を説明する流れ図である。
【０１１０】
蓄電池管理装置３０の特性情報取得部３１は、複数の蓄電池モジュール１１から特性情報を取得する（ステップＳ２００）。蓄電池管理装置３０の処理部３３は、特性情報取得部３１で取得された各特性情報を用いて、複数の蓄電池モジュール１１に対して適合する制御条件を選択する選択処理を行う（ステップＳ２０５）。具体的には、処理部３３は、各特性情報（満充電条件）のそれぞれで表される電圧値のうち最も低い電圧値を制御条件として選択する。蓄電池管理装置３０の通知部３４は、処理部３３で選択された制御条件を、電源制御装置４０へ通知する（ステップＳ２１０）。電源制御装置４０は、通知部３４で通知された制御条件に基づいて、各蓄電池モジュール１１の満充電時の電圧を制御する。
【０１１１】
本実施形態の蓄電池管理装置３０は、充電開始時に、特性情報を取得するとしたが、これに限定されない。実施形態１と同様に、本実施形態の蓄電池管理装置３０は、所定の周期（例えば３時間ごと）に、特性情報を取得してもよい。なお、この数値は一例であって、これらの数値に限定する趣旨ではない。
【０１１２】
また、各蓄電池１２は、直列接続されるとしたが、並列接続であってもよいし、直列接続および並列接続が混在した接続であってもよい。
【０１１３】
なお、本実施形態では、満充電の条件として電圧値を用いたが、これに限定されない。満充電の条件として充電率（ＳＯＣ）を用いてもよい。例えば、決定部１６は、温度センサ１３で計測された電池温度が所定の閾値より高い場合には、充電率を１００％と決定する。電池温度が所定の閾値以下である場合には、決定部１６は、充電率を８０％と決定する。蓄電池管理装置３０は、複数の蓄電池モジュール１１のそれぞれで決定された充電率のうち、最も低い充電率を選択し、電源制御装置４０へ通知する。このとき、複数の蓄電池モジュール１１のそれぞれは、蓄電池１２の充電率を計測する計測回路を備えている。電源制御装置４０は、複数の蓄電池モジュール１１のそれぞれの計測回路で計測された結果を基に、蓄電池管理装置３０から通知された充電率となるように、各蓄電池モジュール１１の充電の制御を行う。
【０１１４】
以上説明したように、本実施形態では、特性情報は、蓄電池モジュール１１の満充電の判定に関する満充電条件を表す。処理部３３は、各満充電条件のうち、複数の蓄電池モジュール１１に対して適合する単一の満充電条件を制御条件として選択することが好ましい。
【０１１５】
この構成によると、蓄電池管理装置３０は、複数の蓄電池モジュール１１に対して適合する満充電の判定に関する満充電条件を設定することができる。
【０１１６】
ここで、満充電条件は、満充電時の電圧値を表す条件である。処理部３３は、特性情報取得部３１で取得された各満充電条件のうち、最も低い電圧値を表す満充電条件を選択することが好ましい。
【０１１７】
この構成によると、蓄電池管理装置３０は、複数の蓄電池モジュール１１のすべてに対して適合する満充電時の電圧値を設定することができる。
【０１１８】
また、本発明の一態様である蓄電池モジュール１１は、蓄電池１２と、充電および放電の少なくとも一方に対する特性情報を記憶している記憶部１４と、前記特性情報を管理する蓄電池管理装置へ前記特性情報を受け渡す出力部１５とを備える。
【０１１９】
この構成によると、蓄電池モジュール１１は、作業者が情報の設定作業を忘れた場合であっても適切な条件で充電等の制御を蓄電池管理装置３０に行わせることができる。
【０１２０】
ここで、記憶部１４は、特性情報を複数記憶している。前記複数の特性情報のそれぞれは、満充電の判定に関する値であって動作環境に応じた電圧値である。蓄電池モジュール１１は、動作環境に応じて、各電圧値から１つの電圧値を決定する決定部１６を、さらに備える。出力部１５は、決定部１６で決定された電圧値を受け渡すことが好ましい。
【０１２１】
この構成によると、蓄電池モジュール１１は、動作環境に応じた最適な満充電時の電圧値を受け渡すことができる。
【０１２２】
ここで、動作環境は、蓄電池モジュール１１の電池温度である。決定部１６は、各電圧値のうち電池温度に応じた１つの電圧値を決定することが好ましい。
【０１２３】
この構成によると、蓄電池モジュール１１は、電池温度に応じた最適な満充電時の電圧値を受け渡すことができる。
【０１２４】
５  実施形態２の変形例１
ここでは、実施形態１の変形例１と同様に、充電電流値および放電電流値の少なくとも一方を制御条件として用いる。以下、実施形態２とは異なる点を中心に説明する。なお、本変形例では、実施形態２と同様の構成要素には同一の符号を付して説明を適宜省略する。
【０１２５】
本変形例の蓄電システム１は、図１０に示すように、複数の蓄電池モジュール１１からなる蓄電池システム１０と制御装置２０とを備える。
【０１２６】
各蓄電池モジュール１１は、蓄電池１２、温度センサ１３、記憶部１４、出力部１５および決定部１６を備えている（図７参照）。蓄電池モジュール１１は、プロセッサやメモリを有しており、蓄電池モジュール１１の決定部１６の機能は、メモリに記憶されているプログラムをプロセッサが実行することにより実現される。このプログラムは、インターネットのような電気通信回線を通して提供されるか、あるいは、コンピュータで読み取りが可能な記録媒体により提供される。
【０１２７】
記憶部１４は、電池温度が所定の閾値より高い場合における最大充電電流値（第１充電電流値）および最大放電電流値（第１放電電流値）を記憶している。記憶部１４は、さらに、電池温度が所定の閾値以下である場合における最大充電電流値（第２充電電流値）および最大放電電流値（第２放電電流値）を記憶している。
【０１２８】
決定部１６は、蓄電池管理装置３０へ送信すべき特性情報を決定する。具体的には、決定部１６は、温度センサ１３で計測された電池温度が所定の閾値より高いか否かを判断する。決定部１６は、電池温度が所定の閾値より高いと判断する場合には、第１充電電流値および第１放電電流値を記憶部１４から取得する。決定部１６は、電池温度が所定の閾値以下であると判断する場合には、第２充電電流値および第２放電電流値を記憶部１４から取得する。なお、第１充電電流値および第２充電電流値を区別する必要がない場合には、これらを総称して第１最大充電電流値という。また、第１放電電流値および第２放電電流値を区別する必要がない場合には、これらを総称して第２最大放電電流値という。
【０１２９】
出力部１５は、決定部１６で取得された第１最大充電電流値および第１最大放電電流値のそれぞれを、特性情報として制御装置２０へ受け渡す。
【０１３０】
次に、本変形例の制御装置２０について説明する。
【０１３１】
制御装置２０は、図１０に示すように、蓄電池管理装置３０と電源制御装置４０とを備える。蓄電池管理装置３０は、図１０に示すように、特性情報取得部３１、処理部３３、通知部３４および電流値取得部３５を備える。
【０１３２】
特性情報取得部３１は、各蓄電池モジュール１１から出力された充電電流値および放電電流値を、それぞれ特性情報として取得する。
【０１３３】
電流値取得部３５は、電源制御装置４０が各蓄電池モジュール１１の充電を制御する際の第２最大充電電流値を電源制御装置４０から取得する。また、電流値取得部３５は、電源制御装置４０が各蓄電池モジュール１１の放電を制御する際の第２最大放電電流値を電源制御装置４０から取得する。
【０１３４】
処理部３３は、各蓄電池モジュール１１の充電を制御する場合には、特性情報取得部３１で取得された第１最大充電電流値を用いて、複数の蓄電池モジュール１１に対して適合する制御条件を選択する。処理部３３は、各蓄電池モジュール１１の放電を制御する場合には、特性情報取得部３１で取得された第１最大放電電流値を用いて、複数の蓄電池モジュール１１に対して適合する制御条件を選択する。例えば、処理部３３は、各第１最大充電電流値のうち最小の電流値（充電制限値）を選択し、選択した充電制限値と、第２最大充電電流値とのうち小さい電流値（充電制御用電流値）を制御条件として選択する。また、処理部３３は、各第１最大放電電流値のうち最小の放電電流値（放電制限値）を選択し、選択した放電制限値）と第２最大放電電流値とのうち小さい電流値（放電制御用電流値）を制御条件として選択する。
【０１３５】
通知部３４は、処理部３３で選択された制御条件に基づいて各蓄電池モジュール１１に対する制御を行うために、制御条件を電源制御装置４０へ通知する。
【０１３６】
電源制御装置４０は、制御条件が充電制御用電流値である場合、制御条件で表される電流値に基づいて各蓄電池モジュール１１の充電に対する制御を行う。電源制御装置４０は、制御条件が放電制御用電流値である場合、制御条件で表される電流値に基づいて各蓄電池モジュール１１の放電に対する制御を行う。
【０１３７】
次に、本変形例の各蓄電池モジュール１１が蓄電池管理装置３０へ出力すべき特性情報を決定する動作について、図１１および図１２に示す流れ図を用いて説明する。なお、本変形例の蓄電池管理装置３０が制御条件を決定する動作について、上述した図４、図５のそれぞれに示す動作により実現できるため、ここでの説明は省略する。
【０１３８】
先ず、充電電流値を特性情報として決定する動作を、図１１に示す流れ図を用いて説明する。
【０１３９】
蓄電池モジュール１１の決定部１６は、蓄電池管理装置３０へ送信すべき第１最大充電電流値を決定する（ステップＳ２５０）。具体的には、決定部１６は、温度センサ１３で測定された電池温度が所定の閾値より高い場合には、第１充電電流値を、送信すべき第１最大充電電流値として決定する。決定部１６は、電池温度が所定の閾値以下である場合には、第２充電電流値を、送信すべき第１最大充電電流値として決定する。
【０１４０】
出力部１５は、決定部１６で決定された第１最大充電電流値を、特性情報として制御装置２０へ受け渡す（ステップＳ２５５）。
【０１４１】
次に、放電電流値を特性情報として決定する動作を、図１２に示す流れ図を用いて説明する。
【０１４２】
蓄電池モジュール１１の決定部１６は、蓄電池管理装置３０へ送信すべき第１最大放電電流値を決定する（ステップＳ３００）。具体的には、決定部１６は、温度センサ１３で計測された電池温度が所定の閾値より高い場合には、第１放電電流値を、送信すべき第１最大放電電流値として決定する。決定部１６は、電池温度が所定の閾値以下である場合には、第２放電電流値を、送信すべき第１最大放電電流値として決定する。
【０１４３】
出力部１５は、決定部１６で決定された第１最大放電電流値を、特性情報として制御装置２０へ受け渡す（ステップＳ３０５）。
【０１４４】
本変形例の蓄電池管理装置３０は、実施形態１の変形例１で説明したように、各第１最大充電電流値から充電制御用電流値を、各第１最大放電電流値から放電制御用電流値を、それぞれ選択してもよい。この場合の電源制御装置４０は、実施形態１の変形例２で説明した電源制御装置４０と同様であるので、ここでの説明は省略する。
【０１４５】
６  実施形態２の変形例２
実施形態２では、各蓄電池モジュール１１は、電池温度に応じて決定された満充電条件を特性情報として、蓄電池管理装置３０へ出力したが、これに限定されない。各蓄電池モジュール１１は、特性情報に電池温度に応じて決定された満充電条件を含める他、実施形態１の変形例２で説明したように、通常モードおよび長寿命モードのそれぞれに応じた満充電時の電圧値を含めてもよい。
【０１４６】
この場合、本変形例の蓄電池管理装置３０は、実施形態１の変形例２と同様に、制御モードが通常モードである場合には、例えば通常電圧値を制御情報として選択する。蓄電池管理装置３０は、制御モードが長寿命モードである場合には、例えば制限電圧値を制御情報として選択する。制御モードが自立モードである場合には、実施形態２と同様であるので、ここでの説明は省略する。なお、制御モードが長寿命モードである場合、蓄電池管理装置３０は、制限電圧値を制御情報としたが、これに限定されない。蓄電池管理装置３０は、制御情報として、通常電圧値より低い電圧値を選択してもよい。
【０１４７】
また、本変形例では、蓄電池モジュール１１は、通常モードで用いられる電圧値、および長寿命モードで用いられる電圧値を、特性情報にさらに含めて、蓄電池管理装置３０に受け渡す。
【０１４８】
７  その他の変形例
以上、各実施形態に基づいて本発明について説明したが、本発明は上述した実施形態および変形例に限られない。例えば、以下のような変形例が考えられる。
【０１４９】
（１）上記各実施形態において、電源制御装置４０は、太陽電池５０の発電電力を用いて、各蓄電池モジュール１１を充電したが、これに限定されない。
【０１５０】
電源制御装置４０は、太陽電池５０以外の電力、例えば風力、水力、地熱などの自然エネルギーを用いて発電された電力、または商用電源から得られる商用電力を用いて、各蓄電池モジュール１１を充電してもよい。
【０１５１】
（２）上記各実施形態において、各蓄電池モジュール１１が温度センサ１３を備えるとしたが、これに限定されない。蓄電池システム１０が、１つの温度センサ１３を備えていてもよい。この場合、蓄電池管理装置３０は、１つの温度センサ１３から取得した電池温度を、蓄電池モジュール１１（蓄電池１２）のそれぞれの温度とする。
【０１５２】
（３）上記実施形態および変形例を組み合わせてもよい。
【符号の説明】
【０１５３】
１１    蓄電池モジュール
１２    蓄電池
１４    記憶部
１５    出力部
１６    決定部
３０    蓄電池管理装置
３１    特性情報取得部
３２    判別情報取得部
３３    処理部
３４    通知部
３５    電流値取得部
４０    電源制御装置
【図１】
2016185044.tif 000003
【図２】
2016185044.tif 000004
【図３】
2016185044.tif 000005
【図４】
2016185044.tif 000006
【図５】
2016185044.tif 000007
【図６】
2016185044.tif 000008
【図７】
2016185044.tif 000009
【図８】
2016185044.tif 000010
【図９】
2016185044.tif 000011
【図１０】
2016185044.tif 000012
【図１１】
2016185044.tif 000013
【図１２】
2016185044.tif 000014